(57)【要約】【課題】通信状況に応じてノイズを低減させ、或いはアンテナ利得を向上させることが可能な携帯通信端末機を提供する。【解決手段】本発明の一実施形態に係る携帯通信端末機は、筐体の内部に回路基板１２が配備され、回路基板１２にはアンテナが電気的に接続されている携帯通信端末機であって、回路基板１２にはグランドパターン１４が形成され、筐体の内部には更に、通信状況に応じて変化する通信状況信号ＣＴＬ１，ＣＴＬ２を生成する信号生成回路５１が配備されると共に、ＬＣＤフレーム２２によって構成された導体部が配備されている。該導体部とグランドパターン１４の間には、通信状況信号ＣＴＬ１，ＣＴＬ２に応じて導体部とグランドパターン１４との間のインピーダンスを最適な大きさに調整するインピーダンス調整回路５２が介在している。【選択図】図６
2010252108.tif 000002
【特許請求の範囲】
【請求項１】
筐体の内部に回路基板が配備され、該回路基板にはアンテナが電気的に接続されている携帯通信端末機において、
前記回路基板にはグランド部が形成され、前記筐体の内部には更に、通信状況に応じて変化する通信状況信号を生成する信号生成手段が配備されると共に、導体部が配備されており、前記導体部とグランド部の間には、前記通信状況信号に応じて導体部とグランド部との間のインピーダンスを調整するインピーダンス調整手段が介在していることを特徴とする携帯通信端末機。
【請求項２】
前記導体部は、第２の回路基板又は金属構造部によって構成されている請求項１に記載の携帯通信端末機。
【請求項３】
前記インピーダンス調整手段は、インピーダンスが異なる複数の受動素子の組み合わせによって構成された受動素子群と、前記信号生成手段によって生成される通信状況信号に応じて前記受動素子群の中から１又は複数の受動素子を選択し、選択した受動素子を介して前記導体部とグランド部とを接続する選択手段とから構成されている請求項１又は請求項２に記載の携帯通信端末機。
【請求項４】
前記信号生成手段は、データの送信又は受信時に用いる電波の周波数に応じて変化する信号を前記通信状況信号として生成する請求項１乃至請求項３の何れかに記載の携帯通信端末機。
【請求項５】
前記信号生成手段は、データの送信と受信に応じて変化する信号を前記通信状況信号として生成する請求項１乃至請求項３の何れかに記載の携帯通信端末機。
【請求項６】
前記回路基板のグランド部には、動作時にノイズを発生する電子部品が接続されており、前記信号生成手段は、前記電子部品の動作状況に応じて変化する信号を前記通信状況信号として生成する請求項１乃至請求項３の何れかに記載の携帯通信端末機。
【発明の詳細な説明】
【技術分野】
【０００１】
本発明は、アンテナを介して無線で通信することが可能な携帯通信端末機に関する。
【背景技術】
【０００２】
従来から、２つの筐体が、スライドや折り畳み等、相対移動可能に連結された携帯通信端末機において、ノイズを低減させる対策及びアンテナ利得を向上させる対策の何れか一方の対策を施すことが提案されている。
【０００３】
例えば特許文献１には、２つの筐体がスライド可能に連結された携帯通信端末機が開示されており、各筐体には回路基板が配備されると共に、一方の回路基板には導電部が電気的に接続されており、導電部と他方の回路基板とは、２つの筐体の相対的な位置に拘わらず互いに近接した状態が維持できるように配置されている。
特許文献１に開示の携帯通信端末機によれば、導電部と他方の回路基板とが近接した状態で維持されているので、これらの間にはコンデンサが形成され、該コンデンサがノイズフィルタと機能することになる。従って、回路基板上に実装された電子部品からノイズが発生した場合でも、該ノイズは上記コンデンサによって除去されることになる。
【０００４】
又、特許文献２には、２つの筐体が折り畳み可能に連結された携帯通信端末機が開示されており、筐体どうしは金属製のヒンジ機構によって連結されると共に、各筐体にはグランド部が形成されており、一方のグランド部にはヒンジ機構の一端が電気的に接続され、他方のグランド部には、コンデンサとして機能するスペーサを介してヒンジ機構の他端が接続されている。
特許文献２に開示の携帯通信端末機によれば、筐体の長手方向についてのグランド部全体の見かけ上の長さが、コンデンサの静電容量の大きさによって規定されることになる。従って、コンデンサの静電容量を調節することにより、携帯通信端末機において最適なアンテナ特性を得ることが可能になっている。
【先行技術文献】
【特許文献】
【０００５】
【特許文献１】特開２００３−２６４３５５号公報
【特許文献２】特開２００５−１６７９０８号公報
【発明の概要】
【発明が解決しようとする課題】
【０００６】
しかしながら、従来の携帯通信端末機においては、ノイズを低減させる対策及びアンテナ利得を向上させる対策の何れか一方の対策が施されているに過ぎない。このため、ノイズを低減させる対策が施された携帯通信端末機においてはアンテナ利得が低く、通信状況によっては通信不良が発生する問題があった。又、アンテナ利得を向上させる対策が施された携帯通信端末機においては、ノイズが発生する通信状況であってもノイズを効率良く低減させることが出来ず、従ってノイズの影響によって通信不良が発生する問題があった。
【０００７】
そこで本発明の目的は、通信状況に応じてノイズを低減させ、或いはアンテナ利得を向上させることが可能な携帯通信端末機を提供することである。
【課題を解決するための手段】
【０００８】
本発明に係る携帯通信端末機は、筐体の内部に回路基板が配備され、該回路基板にはアンテナが電気的に接続されている携帯通信端末機であって、
前記回路基板にはグランド部が形成され、前記筐体の内部には更に、通信状況に応じて変化する通信状況信号を生成する信号生成手段が配備されると共に、導体部が配備されており、前記導体部とグランド部の間には、前記通信状況信号に応じて導体部とグランド部との間のインピーダンスを調整するインピーダンス調整手段が介在している。
【０００９】
上記携帯通信端末機によれば、通信状況に応じて導体部とグランド部との間のインピーダンスが最適な大きさに調整されることになる。よって、通信状況に応じてノイズを低減させ、或いはアンテナ利得を向上させることが可能になる。
【００１０】
具体的には、ノイズを低減させるべき通信状況においては、導体部とグランド部との間のインピーダンスが小さくなるように調整される。従って、導体部とグランド部との電気的な結合度が高くなり、グランドとして機能する部分が拡張されることになる。その結果、ノイズが低減されることになる。
又、導体部とグランド部との間のインピーダンスを変化させることにより、導体部とグランド部との電気的な結合度が変化し、従ってアンテナとして機能するグランドの見かけ上の長さが変化することになる。従って、アンテナ利得を向上させるべき通信状況においては、導体部とグランド部との間のインピーダンスを調整して、グランドの見かけ上の長さを最適な長さに調整することにより、アンテナ利得が向上されることになる。
【００１１】
上記携帯通信端末機の具体的構成において、前記導体部は、第２の回路基板又は金属構造部によって構成されている。
【００１２】
上記携帯通信端末機の他の具体的構成において、前記インピーダンス調整手段は、インピーダンスが異なる複数の受動素子の組み合わせによって構成された受動素子群と、前記信号生成手段によって生成される通信状況信号に応じて前記受動素子群の中から１又は複数の受動素子を選択し、選択した受動素子を介して前記導体部とグランド部とを接続する選択手段とから構成されている。
【００１３】
該具体的構成においては、例えば、インピーダンスが非常に小さい第１受動素子と、グランドの見かけ上の長さが携帯通信端末機のアンテナ利得を向上させる長さとなるインピーダンスを有する第２受動素子とによって受動素子群を構成することにより、通信状況に応じてノイズを低減させ、或いはアンテナ利得を向上させることが可能になる。
【００１４】
具体的には、選択手段によって受動素子群の中から第１受動素子を選択した場合、導体部とグランド部との間のインピーダンスが非常に小さく調整されることになる。よって、導体部とグランド部との電気的な結合度が高くなり、その結果、ノイズが低減されることになる。
一方、選択手段によって受動素子群の中から第２受動素子を選択した場合、導体部とグランド部との間のインピーダンスが、アンテナ利得を向上させるのに最適な大きさに調整されることになる。即ち、グランドの見かけ上の長さが最適な長さに調整され、その結果、アンテナ利得が向上されることになる。
【００１５】
上記携帯通信端末機の更なる他の具体的構成において、前記信号生成手段は、データの送信又は受信時に用いる電波の周波数に応じて変化する信号を前記通信状況信号として生成する。
【００１６】
該具体的構成においては、データの送信又は受信時に用いる電波の周波数が小さい場合、ノイズの影響が大きくなるため、このときの電波の周波数に応じて信号生成手段によって生成される通信状況信号に基づいて、導体部とグランド部との間のインピーダンスは、インピーダンス調整手段によって小さくなるように調整されることになる。その結果、ノイズが低減されることになる。
一方、データの送信又は受信時に用いる電波の周波数が大きい場合、ノイズの影響が小さくなるため、このときの電波の周波数に応じて信号生成手段によって生成される通信状況信号に基づいて、導体部とグランド部との間のインピーダンスは、インピーダンス調整手段によってグランドの見かけ上の長さが最適な長さになるように調整されることになる。その結果、アンテナ利得が向上されることになる。
【００１７】
上記携帯通信端末機の更なる他の具体的構成において、前記信号生成手段は、データの送信と受信に応じて変化する信号を前記通信状況信号として生成する。
【００１８】
該具体的構成においては、データの受信時にはノイズの影響が大きくなるため、データの受信に応じて信号生成手段によって生成される通信状況信号に基づいて、導体部とグランド部との間のインピーダンスは、インピーダンス調整手段によって小さくなるように調整されることになる。その結果、ノイズが低減されることになる。
一方、データの送信時にはノイズの影響が小さくなるため、データの送信に応じて信号生成手段によって生成される通信状況信号に基づいて、導体部とグランド部との間のインピーダンスは、インピーダンス調整手段によってグランドの見かけ上の長さが最適な長さになるように調整されることになる。その結果、アンテナ利得が向上されることになる。
【００１９】
上記携帯通信端末機の更なる他の具体的構成において、前記回路基板のグランド部には、動作時にノイズを発生する電子部品が接続されており、前記信号生成手段は、前記電子部品の動作状況に応じて変化する信号を前記通信状況信号として生成する。
【００２０】
該具体的構成においては、電子部品の動作時にはノイズの影響が大きくなるため、電子部品の動作に応じて信号生成手段によって生成される通信状況信号に基づいて、導体部とグランド部との間のインピーダンスは、インピーダンス調整手段によって小さくなるように調整されることになる。その結果、ノイズが低減されることになる。
電子部品の停止時にはノイズの影響が小さくなるため、電子部品の停止に応じて信号生成手段によって生成される通信状況信号に基づいて、導体部とグランド部との間のインピーダンスは、インピーダンス調整手段によってグランドの見かけ上の長さが最適な長さになるように調整されることになる。その結果、アンテナ利得が向上されることになる。
【発明の効果】
【００２１】
本発明に係る携帯通信端末機は、通信状況に応じてノイズを低減させ、或いはアンテナ利得を向上させることが可能である。
【図面の簡単な説明】
【００２２】
【図１】本発明の一実施形態に係る折り畳み式の携帯通信端末機を、開いた状態にて示した斜視図である。
【図２】該携帯通信端末機を、閉じた状態にて示した斜視図である。
【図３】ヒンジ機構によるＬＣＤ（Liquid  Crystal  Display）フレームと回路基板との連結状態を説明するための正面図である。
【図４】ヒンジ機構によるＬＣＤフレームと回路基板との連結状態を説明するための背面図である。
【図５】ＬＣＤフレームとグランドパターンとの接続関係を説明するための正面図である。
【図６】上記携帯通信端末機の構成を示したブロック図である。
【図７】図５に示すＡ領域の拡大図である。
【図８】ＤＴＶ（digital  television）通信時の受信感度の測定結果を示したグラフである。
【図９】ＣＤＭＡ（Code  Division  Multiple  Access）通信の最大送信パワーの測定結果を示したグラフである。
【図１０】上記携帯通信端末機の改良形態の一例を示したブロック図である。
【図１１】上記携帯通信端末機の改良形態の他の例を示したブロック図である。
【発明を実施するための形態】
【００２３】
以下、本発明を折り畳み式の携帯通信端末機に実施した形態につき、図面に沿って具体的に説明する。
本発明の一実施形態に係る携帯通信端末機は、図１及び図２に示す如く、その筐体が、第１キャビネット１と第２キャビネット２とを金属製のヒンジ機構３によって開閉可能に連結して構成されている。第１キャビネット１には、第２キャビネット２との対向面に複数の操作釦１１が配備され、第２キャビネット２には、第１キャビネット１との対向面に液晶ディスプレイ２１が配備されている。
【００２４】
図２に示す様に、第１キャビネット１には、ＣＤＭＡ（Code  Division  Multiple  Access）通信やＷＬＡＮ（Wireless  Local  Area  Network）通信など周波数の高い電波の送受信に用いる高周波用アンテナ４と、ＦＭ（Frequency  Modulation）通信やＤＴＶ（digital  television）通信など周波数の低い電波の送受信に用いる低周波用アンテナ４０が配備されている。低周波用アンテナ４０は、ホイップアンテナであり、図１及び図２に示す如くその大部分が第１キャビネット１の外部に引き出された伸長位置と、その大部分が第１キャビネット１の内部に収容された収容位置（図示せず）との間で伸縮自在である。
【００２５】
図３及び図４に示す如く、第２キャビネット２の内部には、液晶ディスプレイ２１を保持する金属製のＬＣＤ（Liquid  Crystal  Display）フレーム２２が配備され、第１キャビネット１の内部には回路基板１２が配備されている。
ヒンジ機構３は、第１連結部３２と第２連結部３３とをヒンジ部３１によって回動可能に連結して構成されている。第１連結部３２は、図３に示す様に回路基板１２に形成されている一対の接点パターン１３，１３に連結され、第２連結部３３は、図４に示す様に一対の金属製のネジ３４，３４によってＬＣＤフレーム２２に連結されている。
【００２６】
斯くして、本実施形態に係る携帯通信端末機においては、一対の接点パターン１３，１３と金属製のＬＣＤフレーム２２とが電気的に接続されている。
【００２７】
回路基板１２には、携帯通信端末機の動作を制御するための電子回路と、該電子回路のグランド部を構成するグランドパターン１４とが形成されている。グランドパターン１４は、図５に示す様に、回路基板１２の表面の広い領域に亘って形成されている。勿論、本発明のグランドパターンの形状は、図５に示す形状に限定されるものではなく、適宜変更することが可能である。
上記電子回路は、図６に示す如く、ＣＰＵ（Central  Processing  Unit）５の制御によって動作するＦＭ通信用の回路（ＦＭ回路）４１、ＤＴＶ通信用の回路（ＤＴＶ回路）４２、ＣＤＭＡ通信用の回路（ＣＤＭＡ回路）４３、及びＷＬＡＮ通信用の回路（ＷＬＡＮ回路）４４と、通信状況に応じて変化する通信状況信号ＣＴＬ１，ＣＬＴ２を生成する信号生成回路５１と、各接点パターン１３とグランドパターン１４との間のインピーダンスを調整するインピーダンス調整回路５２とから構成されている。
【００２８】
信号生成回路５１は、一対のＯＲ回路１５１，１５２から構成されており、各ＯＲ回路１５１，１５２は、一対の入力端子と、出力端子とを有している。ＯＲ回路１５１の一対の入力端子はそれぞれ、ＣＰＵ５とＦＭ回路４１とを接続する信号線と、ＣＰＵ５とＤＴＶ回路４２とを接続する信号線とに接続され、ＯＲ回路１５２の一対の入力端子はそれぞれ、ＣＰＵ５とＣＤＭＡ回路４３とを接続する信号線と、ＣＰＵ５とＷＬＡＮ回路４４とを接続する信号線とに接続されている。又、ＯＲ回路１５１，１５２の出力端子は何れも、インピーダンス調整回路５２に接続されている。
【００２９】
従って、ＦＭ回路４１を動作させるべくＣＰＵ５からＦＭ回路４１に向けて出力された制御信号、及びＤＴＶ回路４２を動作させるべくＣＰＵ５からＤＴＶ回路４２に向けて出力された制御信号は、ＯＲ回路１５１に入力されることになる。そして、これらの制御信号の何れか一方の信号がＯＲ回路１５１に入力された場合、ＦＭ回路４１又はＤＴＶ回路４２が動作していること、即ちデータの送信又は受信時に用いる電波の周波数が低いことを表す“Ｈｉｇｈ”の制御信号がＯＲ回路１５１によって生成され、該制御信号が通信状況信号ＣＴＬ１としてＯＲ回路１５１の出力端子からインピーダンス調整回路５２に向けて出力されることになる。
一方、一対の入力端子の何れの端子からもＯＲ回路１５１に制御信号が入力されなかった場合、ＦＭ回路４１及びＤＴＶ回路４２の両回路が停止していることを表す“Ｌｏｗ”の制御信号がＯＲ回路１５１によって生成され、該制御信号が通信状況信号ＣＴＬ１としてＯＲ回路１５１の出力端子からインピーダンス調整回路５２に向けて出力されることになる。
【００３０】
又、ＣＤＭＡ回路４３を動作させるべくＣＰＵ５からＣＤＭＡ回路４３に向けて出力された制御信号、及びＷＬＡＮ回路４４を動作させるべくＣＰＵ５からＷＬＡＮ回路４４に向けて出力された制御信号は、ＯＲ回路１５２に入力されることになる。そして、これらの制御信号の何れか一方の信号がＯＲ回路１５２に入力された場合、ＣＤＭＡ回路４３又はＷＬＡＮ回路４４が動作していること、即ちデータの送信又は受信時に用いる電波の周波数が高いことを表す“Ｈｉｇｈ”の制御信号がＯＲ回路１５２によって生成され、該制御信号が通信状況信号ＣＴＬ２としてＯＲ回路１５２の出力端子からインピーダンス調整回路５２に向けて出力されることになる。
一方、一対の入力端子の何れの端子からもＯＲ回路１５２に制御信号が入力されなかった場合、ＣＤＭＡ回路４３及びＷＬＡＮ回路４４の両回路が停止していることを表す“Ｌｏｗ”の制御信号がＯＲ回路１５２によって生成され、該制御信号が通信状況信号ＣＴＬ２としてＯＲ回路１５２の出力端子からインピーダンス調整回路５２に向けて出力されることになる。
【００３１】
斯くして、信号生成回路５１によって生成される通信状況信号ＣＴＬ１，ＣＴＬ２は、通信状況に応じて、即ちデータの送信又は受信時に用いる電波の周波数に応じて変化することになる。
【００３２】
インピーダンス調整回路５２は、図６及び図７に示す如く、各接点パターン１３とグランドパターン１４との間に介在しており、インピーダンスが異なる２つの受動素子Ｚ１，Ｚ２の組み合わせによって構成された受動素子群と、信号生成回路５１によって生成される通信状況信号ＣＴＬ１，ＣＴＬ２に応じて該受動素子群の中から１つの受動素子を選択するスイッチング回路１５とから構成されている。
【００３３】
具体的には、スイッチング回路１５は、第１接点１５１、第２接点１５２、及び第３接点１５３を有し、第１及び第２接点１５１，１５２にはそれぞれ、受動素子Ｚ１，Ｚ２を介してグランドパターン１４が接続され、第３接点１５３には直接、接点パターン１３が接続されている。そして、信号生成回路５１によって生成された通信状況信号ＣＴＬ１，ＣＴＬ２がそれぞれ“Ｈｉｇｈ”，“Ｌｏｗ”である場合、スイッチング回路１５は、受動素子群の中から受動素子Ｚ１を選択する。これにより、ＬＣＤフレーム２２とグランドパターン１４とが、選択された受動素子Ｚ１を介して接続されることになる。
一方、信号生成回路５１によって生成された信号状況信号ＣＴＬ１，ＣＴＬ２がそれぞれ“Ｌｏｗ”，“Ｈｉｇｈ”である場合、スイッチング回路１５は、受動素子群の中から受動素子Ｚ２を選択する。これにより、ＬＣＤフレーム２２とグランドパターン１４とが、選択された受動素子Ｚ２を介して接続されることになる。
【００３４】
ＦＭ回路４１又はＤＴＶ回路４２が動作している場合、データの送信又は受信時に用いる電波の周波数は低いので、ノイズの影響が大きくなる。従って、ＦＭ通信又はＤＴＶ通信時においてＬＣＤフレーム２２とグランドパターン１４との間に介在することになる受動素子Ｚ１には、インピーダンスが非常に小さい受動素子、具体的には０Ω又はそれに近い値のインピーダンスを有する受動素子が用いられている。
よって、ＦＭ通信時又はＤＴＶ通信時には、ＬＣＤフレーム２２とグランドパターン１４との電気的な結合度が高くなり、グランドとして機能する部分が拡張されることになる。その結果、ノイズが低減されることになる。
【００３５】
一方、ＣＤＭＡ回路４３又はＷＬＡＮ回路４４が動作している場合、データの送信又は受信時に用いる電波の周波数は高いので、ノイズの影響は小さく、ＬＣＤフレーム２２とグランドパターン１４との間のインピーダンスを受動素子Ｚ１より大きくした場合でも、ノイズの影響は小さいままである。
尚、ＬＣＤフレーム２２とグランドパターン１４との間のインピーダンスを変化させることにより、ＬＣＤフレーム２２とグランドパターン１４との間の電気的な結合度が変化し、これによりアンテナとして機能するグランドの見かけ上の長さが変化することになる。
【００３６】
従って、ＣＤＭＡ通信又はＷＬＡＮ通信時においては携帯通信端末機のアンテナ利得を向上させるべく、該通信状況においてＬＣＤフレーム２２とグランドパターン１４との間に介在することになる受動素子Ｚ２には、アンテナ利得を向上させるのに最適なインピーダンスを有する受動素子、具体的にはグランドの見かけ上の長さがＣＤＭＡ通信又はＷＬＡＮ通信に最適な長さとなるようなインピーダンス（例えば、値が無限大のインピーダンス）を有する受動素子が用いられている。
よって、ＣＤＭＡ通信時又はＷＬＡＮ通信時には、携帯通信端末機のアンテナ利得が向上されることになる。
【００３７】
上述した携帯通信端末機によれば、通信状況に応じてＬＣＤフレーム２２とグランドパターン１４との間のインピーダンスが最適な大きさに調整されることになる。よって、通信状況に応じてノイズを低減させ、或いはアンテナ利得を向上させることが可能である。
【００３８】
本願発明者は、上述した携帯通信端末機において、通信状況に応じてノイズが低減し、或いはアンテナ利得が向上することを、ＤＴＶ通信時の受信感度と、ＣＤＭＡ通信時の最大送信パワーとを測定することにより確かめた。
【００３９】
図８は、ＤＴＶ通信時の受信感度の測定結果を、受動素子Ｚ１が選択された場合と、受動素子Ｚ２が選択された場合のそれぞれについて示したグラフである。尚、図８に示す受信レベルは、受信感度を表す量であり、ノイズが少ないほど小さくなる量である。
図８に示す様にＤＴＶ通信時には、インピーダンスが小さい受動素子Ｚ１を選択することにより、受信レベルが小さくなり、従ってノイズが低減されることがわかる。
【００４０】
図９は、ＣＤＭＡ通信時の最大送信パワーの測定結果を、受動素子Ｚ１が選択された場合と、受動素子Ｚ２が選択された場合のそれぞれについて示したグラフである。尚、図９に示す最大送信パワーは、アンテナ利得が高いほど大きくなる量である。
図９に示す様にＣＤＭＡ通信時には、インピーダンスが大きい受動素子Ｚ２を選択することにより、最大送信パワーが大きくなり、従ってアンテナ利得が向上することがわかる。
【００４１】
図１０は、上記携帯通信端末機の改良形態の一例を示したブロック図である。該一例においては、図１０に示す様に、回路基板１２に時分割複信回路（Time  Division-CDMA回路やＰＨＳ回路など）４５が形成されており、時分割複信回路４５は、受信回路４５１と、送信回路４５２と、データの送信と受信とを高速で切り替えるアンテナスイッチ４５３とから構成されている。アンテナスイッチ４５３は、ＣＰＵ５からの切り替え信号に応じて受信回路４５１又は送信回路４５２を選択し、選択した回路を高周波用アンテナ４に接続する。
【００４２】
ＣＰＵ５は、受信回路４５１を選択すべき切り替え信号をアンテナスイッチ４５３に向けて出力する場合、これに並行して時分割複信回路４５が受信状態に設定されていることを表す“Ｈｉｇｈ”の制御信号を生成し、送信回路４５２を選択すべき切り替え信号をアンテナスイッチ４５３に向けて出力する場合、これに並行して時分割複信回路４５が送信状態に設定されていることを表す“Ｌｏｗ”の制御信号を生成する。そして、ＣＰＵ５は、生成した制御信号を通信状況信号ＣＴＬとしてインピーダンス調整回路５２に向けて出力する。
従って、ＣＰＵ５は、通信状況に応じて変化する通信状況信号ＣＬＴを生成する信号生成回路として機能する。
【００４３】
ＣＰＵ５によって生成された通信状況信号ＣＴＬが“Ｈｉｇｈ”である場合、インピーダンス調整回路５２は、スイッチング回路１５を用いて受動素子群の中から受動素子Ｚ１を選択する。これにより、ＬＣＤフレーム２２とグランドパターン１４とが、選択された受動素子Ｚ１を介して接続されることになる。
一方、ＣＰＵ５によって生成された通信状況信号ＣＴＬが“Ｌｏｗ”である場合、インピーダンス調整回路５２は、スイッチング回路１５を用いて受動素子群の中から受動素子Ｚ２を選択する。これにより、ＬＣＤフレーム２２とグランドパターン１４とが、選択された受動素子Ｚ２を介して接続されることになる。
【００４４】
時分割複信回路４５が受信状態に設定されている場合、ノイズの影響が大きくなるため、受信時においてＬＣＤフレーム２２とグランドパターン１４との間に介在することになる受動素子Ｚ１には、インピーダンスが非常に小さい受動素子、具体的には０Ω又はそれに近い値のインピーダンスを有する受動素子が用いられている。
よって、時分割複信によるデータの受信時には、ＬＣＤフレーム２２とグランドパターン１４との電気的な結合度が高くなり、グランドとして機能する部分が拡張されることになる。その結果、ノイズが低減されることになる。
【００４５】
一方、時分割複信回路４５が送信状態に設定されている場合、ノイズの影響は小さく、ＬＣＤフレーム２２とグランドパターン１４との間のインピーダンスを受動素子Ｚ１より大きくした場合でも、ノイズの影響は小さいままである。従って、時分割複信におけるデータの送信時においては携帯通信端末機のアンテナ利得を向上させるべく、該送信時においてＬＣＤフレーム２２とグランドパターン１４との間に介在することになる受動素子Ｚ２には、アンテナ利得を向上させるのに最適なインピーダンスを有する受動素子、具体的にはグランドの見かけ上の長さがデータの送信に最適な長さとなるようなインピーダンス（例えば、値が無限大のインピーダンス）を有する受動素子が用いられている。
よって、時分割複信におけるデータの送信時には、携帯通信端末機のアンテナ利得が向上されることになる。
【００４６】
上述した改良形態の一例に係る携帯通信端末機においても、通信状況に応じてＬＣＤフレーム２２とグランドパターン１４との間のインピーダンスが最適な大きさに調整される。よって、通信状況に応じてノイズを低減させ、或いはアンテナ利得を向上させることが可能である。
【００４７】
図１１は、上述した携帯通信端末機の改良形態の他の例を示したブロック図である。該他の例においては、図１１に示す様に回路基板１２には、ＣＵＰ５の制御によって動作するＬＣＤドライバＩＣ（Integrated  Circuit）６１及びカメラＩＣ６２が搭載されている。尚、ＬＣＤドライバＩＣ６１及びカメラＩＣ６２は何れも、動作時にノイズを発生する電子部品である。
【００４８】
信号生成回路５１は、１つのＯＲ回路１５３から構成されており、該ＯＲ回路１５３の一対の入力端子はそれぞれ、ＣＰＵ５とＬＣＤドライバＩＣ６１とを接続する信号線と、ＣＰＵ５とカメラＩＣ６２とを接続する信号線とに接続されている。ＯＲ回路１５３の出力端子はインピーダンス調整回路５２に接続されている。
【００４９】
従って、ＬＣＤドライバＩＣ６１を動作させるべくＣＰＵ５からＬＣＤドライバＩＣ６１に向けて出力された制御信号、及びカメラＩＣ６２を動作させるべくＣＰＵ５からカメラＩＣ６２に向けて出力された制御信号は、ＯＲ回路１５３に入力されることになる。そして、これらの制御信号の何れか一方の信号がＯＲ回路１５３に入力された場合、ＬＣＤドライバＩＣ６１又はカメラＩＣ６２が動作していること、即ちノイズを発生する電子部品が動作していることを表す“Ｈｉｇｈ”の制御信号がＯＲ回路１５３によって生成され、該制御信号が通信状況信号ＣＴＬ３としてＯＲ回路１５３の出力端子からインピーダンス調整回路５２に向けて出力されることになる。
一方、一対の入力端子の何れの端子からもＯＲ回路１５３に制御信号が入力されなかった場合、ＬＣＤドライバＩＣ６１及びカメラＩＣ６２の両電子部品が停止していることを表す“Ｌｏｗ”の制御信号がＯＲ回路１５３によって生成され、該制御信号が通信状況信号ＣＴＬ３としてＯＲ回路１５３の出力端子からインピーダンス調整回路５２に向けて出力されることになる。
【００５０】
信号生成回路５１によって生成された通信状況信号ＣＴＬ３が“Ｈｉｇｈ”である場合、インピーダンス調整回路５２は、スイッチング回路１５を用いて受動素子群の中から受動素子Ｚ１を選択する。これにより、ＬＣＤフレーム２２とグランドパターン１４とが、選択された受動素子Ｚ１を介して接続されることになる。
一方、信号生成回路５１によって生成された通信状況信号ＣＴＬ３が“Ｌｏｗ”である場合、インピーダンス調整回路５２は、スイッチング回路１５を用いて受動素子群の中から受動素子Ｚ２を選択する。これにより、ＬＣＤフレーム２２とグランドパターン１４とが、選択された受動素子Ｚ２を介して接続されることになる。
【００５１】
ＬＣＤドライバＩＣ６１又はカメラＩＣ６２が動作している場合、これらの電子部品はノイズを発生するため、該電子部品の動作時においてＬＣＤフレーム２２とグランドパターン１４との間に介在することになる受動素子Ｚ１には、インピーダンスが非常に小さい受動素子、具体的には０Ω又はそれに近い値のインピーダンスを有する受動素子が用いられている。
よって、ＬＣＤドライバＩＣ６１又はカメラＩＣ６２が動作時には、ＬＣＤフレーム２２とグランドパターン１４との電気的な結合度が高くなり、グランドとして機能する部分が拡張されることになる。その結果、ノイズが低減されることになる。
【００５２】
一方、ＬＣＤドライバＩＣ６１及びカメラＩＣ６２が停止している場合、ノイズの影響は小さく、ＬＣＤフレーム２２とグランドパターン１４との間のインピーダンスを受動素子Ｚ１より大きくした場合でも、ノイズの影響は小さいままである。従って、ＬＣＤドライバＩＣ６１及びカメラＩＣ６２の停止時においては携帯通信端末機のアンテナ利得を向上させるべく、これら電子部品の停止時においてＬＣＤフレーム２２とグランドパターン１４との間に介在することになる受動素子Ｚ２には、アンテナ利得を向上させるのに最適なインピーダンスを有する受動素子、具体的にはグランドの見かけ上の長さが最適な長さとなるようなインピーダンス（例えば、値が無限大のインピーダンス）を有する受動素子が用いられている。
よって、ＬＣＤドライバＩＣ６１及びカメラＩＣ６２の停止時には、携帯通信端末機のアンテナ利得が向上されることになる。
【００５３】
上述した改良形態の他の例に係る携帯通信端末機においても、通信状況に応じてＬＣＤフレーム２２とグランドパターン１４との間のインピーダンスが最適な大きさに調整される。よって、通信状況に応じてノイズを低減させ、或いはアンテナ利得を向上させることが可能である。
上記改良形態の他の例に採用した各種構成は、ＬＣＤドライバＩＣ６１とカメラＩＣ６２が搭載された携帯通信端末機に限らず、動作時にノイズを発生する種々の電子部品が搭載された携帯通信端末機にも採用することが出来る。
【００５４】
尚、本発明の各部構成は上記実施形態に限らず、特許請求の範囲に記載の技術的範囲内で種々の変形が可能である。上記実施形態のインピーダンス調整回路５２おいては、受動素子群が２つの受動素子Ｚ１，Ｚ２から構成され、該受動素子の中から１つの受動素子がスイッチング回路１５によって選択されたが、本発明はこれらに限られるものではない。
例えば、受動素子群を３つ以上の受動素子の組み合わせによって構成し、信号生成回路５１によって生成される通信状況信号に応じて受動素子群の中から１又は複数の受動素子を、スイッチング回路１５に相当する選択手段によって選択し、選択した受動素子を並列又は直列に介してＬＣＤフレーム２２とグランドパターン１４とを接続してもよい。或いは、インピーダンス調整回路５２として、通信状況信号に応じてインピーダンスを連続的に変化させることが可能な回路を用いてもよい。
上記インピーダンス調整回路５２によれば、ＬＣＤフレーム２２とグランドパターン１４との電気的な結合度を、３通り以上の通信状況に応じて変化させることが可能となる。
【００５５】
又、上記実施形態においては、グランドパターン１４には、金属製のＬＣＤフレーム２２がインピーダンス調整回路５２を介して接続されていたが、本発明はこれに限られるものではない。例えば、第２キャビネット２の内部に、回路基板１２とは別の回路基板が配備されている携帯通信端末機においては、金属製のＬＣＤフレーム２２に替えて、回路基板１２とは別の回路基板、具体的には該回路基板に形成されているグランドパターンが、インピーダンス調整回路５２を介して回路基板１２のグランドパターン１４に接続されてもよい。
【００５６】
更に、本発明は、折り畳み式の携帯通信端末機に限らず、スライド式の携帯通信端末機やストレートタイプの携帯通信端末機など、種々の携帯通信端末機に適用することが可能である。
【符号の説明】
【００５７】
１  第１キャビネット
１２  回路基板
１４  グランドパターン（グランド部）
１５  スイッチング回路（選択手段）
２  第２キャビネット
２２  ＬＣＤフレーム（導体部）
５１  信号生成回路（信号生成手段）
５２  インピーダンス調整回路（インピーダンス調整手段）
Ｚ１，Ｚ２  受動素子
【図１】
2010252108.tif 000003
【図２】
2010252108.tif 000004
【図３】
2010252108.tif 000005
【図４】
2010252108.tif 000006
【図５】
2010252108.tif 000007
【図６】
2010252108.tif 000008
【図７】
2010252108.tif 000009
【図８】
2010252108.tif 000010
【図９】
2010252108.tif 000011
【図１０】
2010252108.tif 000012
【図１１】
2010252108.tif 000013